(57)【要約】      （修正有）【課題】肩掛けピストルホルダーを装着してピストルを携帯するときに着用するスーツにおいて、フロントが開いても携帯するピストルが見えないようにすると共に、ピストルによりスーツ裏地の耐久性が損なわれないようにする。【解決手段】スーツの左右フロント裏面において、表地使用領域４をボタン係合する外側縁部からアームホール７直下においてバック裏面１０と接続する脇部６まで延長し、左フロント裏面３の脇部内に肩掛けピストルホルダーのピストル袋を収納するピストルポケット８の開口と、前記ピストル袋のストラップを引き出すストラップ出口９とを設ける。【選択図】図２
0003106096.tif 000002
【実用新案登録請求の範囲】
【請求項１】
表地使用領域と裏地使用領域とからなる左右フロント裏面において、前記表地使用領域は、外側縁部の中央部分から延長してアームホールの直下においてバック裏面と接続する脇部を含み、左右フロント裏面の一方の前記脇部には、肩掛けピストルホルダーのピストル袋を収納するピストルポケットの開口と、前記ピストル袋のストラップを引き出すストラップ出口がそれぞれ設けられることを特徴としてなる肩掛けピストルホルダー装着者用スーツ。
【請求項２】
左右フロント裏面の一方の表地使用領域には、ファスナー付きポケットの開口が、他方の表地使用領域にはイヤホーン収納ポケット、通信機器収納ポケット、メモノート収納ポケット、シューティンググラス収納ポケットの中のいずれか１つ又は２つ以上の開口が設けられることを特徴としてなる請求項１に記載の肩掛けピストルホルダー装着者用スーツ。
【請求項３】
脇部下方の裏地使用領域には、小型ポケットが設けられることを特徴としてなる請求項１に記載の肩掛けピストルホルダー装着者用スーツ。
【請求項４】
バック裏面は左右バック裏地からなることを特徴としてなる請求項１ないし３のいずれか１つに記載の肩掛けピストルホルダー装着者用スーツ。
【請求項５】
左右バック裏地の少なくとも一方の下端部に隠しポケットが設けられることを特徴としてなる請求項４に記載の肩掛けピストルホルダー装着者用スーツ。
【考案の詳細な説明】
【技術分野】
【０００１】
本考案は、肩掛けピストルホルダーを装着してピストルを携帯するのに適したスーツに関する。
【背景技術】
【０００２】
警察官が、腰付けピストルホルダーを装着してピストルを腰位置で携帯するときに、着用する上衣は、実用新案登録第２５８０４１１号公報に開示されている。この上衣には、前面左右の下ポッケットのフラップ直上に直線開口が設けられている。その直線開口から腰付けピストルホルダーのピストル袋に入れたピストルは直ぐに取り出すことができる。
【０００３】
私服刑事は、肩掛けピストルホルダーを装着してピストルを脇位置で携帯するとき、スーツを着用する。スーツの左右フロントの間から肩掛けピストルホルダーのピストル袋に入れたピストルは直ぐに取り出すことができる。しかし、肩掛けピストルホルダーを装着してピストルを携帯するとき、通常のスーツを着用すると、次のような問題が起こる。
１．フロントが開くと携帯しているピストルが見える。
２．通常のスーツは、フロント裏面の脇部分に裏地を使用するため、ピストルホルダーと擦れる脇部分の裏地は耐久性が低下する。
３．ピストルを入れたピストルホルダーがシャツを通して肌に当たるため、違和感が大きい。
【特許文献１】実用新案登録第２５８０４１１号公報
【考案の開示】
【考案が解決しようとする課題】
【０００４】
本考案は、上記問題を解決するためになされたものであり、その課題は、肩掛けピストルホルダーを装着してピストルを携帯するときに着用するスーツにおいて、フロントが開いても携帯するピストルが見えないようにすること、ピストルを入れたピストルホルダーによりスーツ裏地の耐久性が損なわれないようにすること、ピストルを入れたピストルホルダーの違和感を軽減することである。
【課題を解決するための手段】
【０００５】
前記課題を解決するため、本考案が採用する手段は、スーツの左右フロント裏面において、表地使用領域をボタン係合する外側縁部からアームホール直下においてバック裏面と接続する脇部まで延長し、左右フロント裏面の一方の脇部内に肩掛けピストルホルダーのピストル袋を収納するピストルポケットの開口と、前記ピストル袋のストラップを引き出すストラップ出口とを設けることを特徴とする。
【考案の効果】
【０００６】
本考案のスーツを着用すると、肩掛けピストルホルダーのピストル袋はピストルポケット内に収まるから、フロントが開いても、携帯しているピストル袋内のピストルは見えない。ピストルポケットの開口が設けられる脇部は、丈夫な表地使用領域であるから、硬いピストル又はピストル袋が擦れても耐久性は低下しない。ピストル袋のストラップをストラップ出口から引き出すと、ポケット内のピストルの姿勢が安定し、携行中の揺れは減少する。ピストル袋は、ピストルポケット内にあり、表地使用領域を通して肌に当たるから、携帯するピストルによる違和感も緩和する。
【考案を実施するための最良の形態】
【０００７】
本考案スーツの表面側は、従来のスーツと全く同じである。また、本考案スーツの表地、裏地、ポケット地も従来のものと同じである。
【０００８】
ピストルポケットは、殆どの人が右利きであるから、主として左フロントの裏面に設ける。しかし、左利き用として、ピストルポケットを右フロント裏面に設けたものも用意することが好ましい。
【０００９】
左右フロント裏面の表地使用領域には、ピストルポケットの他に、ファスナー付きポケット、イヤホーン収納ポケット、通信機器収納ポケット、メモノート収納ポケット、シューティンググラス収納ポケットを設けて着用者の便宜を図ることが好ましい。
【００１０】
又、左右フロント裏面の脇部下方の裏地使用領域には小型ポケットを設け、バック裏面の裏地には隠しポケットを設ける。このようにしてポケットの数を増大して着用者の手持ちをなくし、着用者の両手を自由にすることが好ましい。
【実施例】
【００１１】
本考案のスーツを、図面に示す実施例に基づいて説明する。ただし、上下左右は、スーツ着用者の上下左右を指す。図１は、左フロントを開いたスーツの斜視図、図２は、図１に示すスーツのボディの裏面仕様を示す図である。
【００１２】
図１に示すスーツ１の表面側は、従来のスーツと全く同じであり、左フロント２の上部に上ポケット、下部に下ポケットが設けられ、、右フロントの下部に下ポケットがそれぞれ設けられている。
【００１３】
左フロント裏面３は、表面と裏面の表地同士が重合する表地使用領域４と表面の表地と裏面の裏地が重合する裏地使用領域５からなる。表地使用領域４は、ボタン穴のある外側縁部と、その外側縁部中央部分から延長してアームホール７の直下においてバック裏面１０と接続する脇部６とからなる。裏地使用領域５は、脇部６により上下に分かれる。
【００１４】
脇部６には、ピストルホルダーのピストル袋を入れるピストルポケット８が開口するように設けられている。脇部６にはピストル袋のストラップを引き出すストラップ出口９が設けられている。ピストルポケット８の上側にはファスナー付きポケット１１が設けられる。下側の裏地使用領域５には、小型ポケット１２がそれぞれ設けられている。図示していないが、各ポケットはポケット地からなる袋を備える。
【００１５】
図２に示すスーツのボディは、中央のバックとその両側に縫着された左右フロントとからなる。バック裏面１０は、全面を覆う左右のバック裏地１３、１４からなる。左バック裏地１３の下端部には破線で示す隠しポケット１５が設けられる。
【００１６】
左フロント裏面３の表地使用領域４は、ボタン穴のある外側縁部とその中央部分から延長してアームホール７の直下においてバック裏面１０と接続する脇部６とを含み、裏地使用領域５は、脇部６により上下に分かれる。脇部６には、ピストルホルダー１６のピストル袋１７を入れるピストルポケット８が設けられている。ピストルポケット８には、ピストル袋のストラップ１８を引き出すストラップ出口９が設けられている。ピストルポケットの上側にはファスナー付きポケット１１が設けられる。脇部６の下方の裏地使用領域５には、小型ポケット１２が設けられる。
【００１７】
右フロント裏面１９は、表面と裏面の表地同士が重合する表地使用領域２０と表面の表地と裏面の裏地が重合する裏地使用領域２１からなる。表地使用領域２０は、ボタンのある外側縁部とその中央部分から延長してアームホール２２の直下においてバック裏面１０と接続する脇部２３とを含む。裏地使用領域２１は、脇部２３により上下に分かれる。
【００１８】
表地使用領域２０には、上から順に、イヤホーン２４を収納するイヤホーン収納ポケット２５、通信機器２６を収納する通信機器収納ポケット２７、メモノート等を収納するメモノート収納ポット２８、シューティンググラスを収納するシューティンググラス収納ポケット２９が設けられる。脇部２３の下方の裏地使用領域２１には、小型ポケット３０が設けらる。
【００１９】
肩掛けピストルホルダー１６を装着してピストルを携帯する人がスーツ１を着用するとき、ピストル袋１７をピストルポケット８に挿入し、ピストル袋１７のストラップ１８をスーツ裏面のストラップ出口９から引き出す。これにより、ピストルポケット８内のピストルの姿勢が安定する。
【００２０】
ピストル袋１７は、略全体がピストルポケット８に入るので、左フロント２の前ボタンを外しているとき、左フロントが開いてもピストルは外からは見えない。ピストル袋１７は、ピストルポケット８内にあり、比較的厚い表地を通して身体に当たるから、ピストルによる違和感は少ない。
【００２１】
ピストル、通信機器、シューティンググラス、イヤホーン等の硬い物を収容するピストルポケット８、通信機器収納ポケット２７、シューティンググラス収納ポケット２９、イヤホン収納ポケット２５はいずれも耐久性に優れる表地使用領域４、２０に設けられるので、擦り切れて耐久性が低下するおそれはない。スーツ１は、表面側に３カ所、裏面側に９カ所のポケットを備えるので、着用者は、持ち物すべてをポケットに入れ、両手を自由にしておくことができる。
【図面の簡単な説明】
【００２２】
【図１】本考案実施例のスーツの斜視図、
【図２】図１に示すスーツのボディの裏面仕様を示す図。
【符号の説明】
【００２３】
１：スーツ
２：フロント（左）
３：左フロント裏面
４：表地使用領域
５：裏地使用領域
６：脇部
７：アームホール
８：ピストルポケット
９：ストラップ出口
１０：バック裏面
１１：ファスナー付きポケット
１２：小型ポケット
１３：左バック裏地
１４：右バック裏地
１５：隠しポケット
１６：ピストルホルダー
１７：ピストル袋
１８：ストラップ
１９：右フロント裏面
２０：表地使用領域
２１：裏地使用領域
２２：アームホール
２３：脇部
２４：イヤホーン
２５：イヤホーン収納ポケット
２６：通信機器
２７：通信機器収納ポケット
２８：メモノート収納ポケット
２９：シューティンググラス収納ポケット
３０：小型ポケット
【図１】
0003106096.tif 000003
【図２】
0003106096.tif 000004